(57)【要約】【課題】簡素な構成で高い信頼性を発揮するのに有利な通気部品を提供する。【解決手段】通気部品１ａは、支持部１０と、通気膜２０と、シール部材３０とを備える。支持部１０は、通気路１２と、環状面１４とを有する。通気部品１ａが筐体２に装着されたときに、通気路１２は、開口２ａの開口面に垂直な方向に延びており、支持部１０を貫通している。環状面１４は、筐体２の外面２ｅに対向するとともに平面視において通気路１２を取り囲む。通気膜２０は、通気路１２を通気可能に塞いでいる。通気膜２０において、通気膜２０の厚み方向に気体が通過可能である。シール部材３０は、筐体２の外面２ｅと環状面１４との間に挟まれて筐体２の外面２ｅと環状面１４との間をシールする。シール部材３０は、粘着剤、接着剤、及び接着剤の硬化物からなる群より選ばれる少なくとも１つを含む。【選択図】図１
2020202229.tif 000002
【特許請求の範囲】
【請求項１】
筐体の開口を覆うように前記筐体に装着される通気部品であって、
当該通気部品が前記筐体に装着されたときに、前記開口の開口面に垂直な方向に延びている通気路と、前記開口の外周に位置する前記筐体の外面に対向するとともに平面視において前記通気路を取り囲む環状面とを有する支持部と、
前記通気路を通気可能に塞いでいる、厚み方向に気体が通過可能な通気膜と、
当該通気部品が前記筐体に装着されたときに、前記筐体の前記外面と前記環状面との間に挟まれて前記筐体の前記外面と前記環状面との間をシールするシール部材と、を備え、
前記通気路は、前記垂直な方向に前記支持部を貫通しており、
前記シール部材は、粘着剤、接着剤、及び接着剤の硬化物からなる群より選ばれる少なくとも１つを含む、
通気部品。
【請求項２】
前記シール部材は、充填剤、気泡、及び界面活性剤からなる群より選ばれる少なくとも１つを含有している粘着剤を含む、請求項１に記載の通気部品。
【請求項３】
前記粘着剤は、前記充填剤を含有している、請求項２に記載の通気部品。
【請求項４】
前記粘着剤は、前記気泡をさらに含有している、請求項３に記載の通気部品。
【請求項５】
前記充填剤は、中空粒子である、請求項３又は４に記載の通気部品。
【請求項６】
前記支持部は、当該通気部品が前記筐体に装着されたときに、前記開口と対向する被着面を有し、
前記通気膜は、前記被着面に取り付けられている、
請求項１〜５のいずれか１項に記載の通気部品。
【請求項７】
前記支持部は、当該通気部品が前記筐体に装着されたときに、前記筐体の前記外面が向く方向と同一の方向を向いている被着面を有し、
前記通気膜は、前記被着面に取り付けられている、
請求項１〜５のいずれか１項に記載の通気部品。
【請求項８】
前記支持部は、前記シール部材が前記通気路に近づく移動及び前記シール部材が前記通気路から遠ざかる移動の少なくとも１つを抑制する第一位置決め部を有する、請求項１〜７のいずれか１項に記載の通気部品。
【請求項９】
前記支持部は、前記通気膜の表面に平行な方向への前記通気膜の移動を抑制する第二位置決め部を有する、請求項１〜８のいずれか１項に記載の通気部品。
【請求項１０】
前記支持部から前記垂直な方向に突出しており、当該通気部品が前記筐体に装着されたときに前記開口に挿入されて前記開口において前記筐体に接触する突出部をさらに備え、
前記通気路は、前記垂直な方向に前記支持部及び前記突出部を貫通している、
請求項１〜９のいずれか１項に記載の通気部品。
【請求項１１】
前記突出部は、前記筐体に係止される係止部を有する、請求項１０に記載の通気部品。
【請求項１２】
前記支持部に連結しており、前記通気膜を平面視したときに前記通気膜を覆っているとともに、前記通気膜との間に当該通気部品の外部空間と連通している間隙を形成する、屋根部をさらに備える、請求項１〜１１のいずれか１項に記載の通気部品。
【発明の詳細な説明】
【技術分野】
【０００１】
本発明は、通気部品に関する。
【背景技術】
【０００２】
従来、開口を有する筐体に装着される通気部品が知られている。
【０００３】
例えば、特許文献１には、通気部材と、シール部材とを備えた通気ユニットが記載されている。通気部材は、筐体の開口に取り付けられる。通気部材は、開口を覆うための防水通音膜を含む。シール部材は、筐体と通気部材との間のギャップをシールする。シール部材として、Ｏリングが用いられる。シール部材は、ワッシャをさらに備えている。ワッシャは、シール部材を取り囲んでいる。これにより、高い外圧が作用する環境下で通気部材と筐体との間から筐体内に異物が侵入することが防止されている。
【先行技術文献】
【特許文献】
【０００４】
【特許文献１】特開２０１２−２３１０８９号公報
【発明の概要】
【発明が解決しようとする課題】
【０００５】
特許文献１に記載の通気ユニットでは、シール部材としてＯリングが用いられており、さらにワッシャが用いられている。特許文献１に記載の技術は簡素な構成で通気部品の信頼性を高める余地を有している。そこで、本発明は、簡素な構成で高い信頼性を発揮するのに有利な通気部品を提供する。
【課題を解決するための手段】
【０００６】
本発明は、
筐体の開口を覆うように前記筐体に装着される通気部品であって、
当該通気部品が前記筐体に装着されたときに、前記開口の開口面に垂直な方向に延びている通気路と、前記開口の外周に位置する前記筐体の外面に対向するとともに平面視において前記通気路を取り囲む環状面とを有する支持部と、
前記通気路を通気可能に塞いでいる、厚み方向に気体が通過可能な通気膜と、
当該通気部品が前記筐体に装着されたときに、前記筐体の前記外面と前記環状面との間に挟まれて前記筐体の前記外面と前記環状面との間をシールするシール部材と、を備え、
前記通気路は、前記垂直な方向に前記支持部を貫通しており、
前記シール部材は、粘着剤、接着剤、及び接着剤の硬化物からなる群より選ばれる少なくとも１つを含む、
通気部品を提供する。
【発明の効果】
【０００７】
上記の通気部品は、簡素な構成で高い信頼性を発揮するのに有利である。
【図面の簡単な説明】
【０００８】
【図１】図１は、本発明に係る通気部品の一例の断面を示す斜視図である。
【図２Ａ】図２Ａは、図１に示す通気部品の変形例の断面の一部を示す斜視図である。
【図２Ｂ】図２Ｂは、図１に示す通気部品の別の変形例の断面の一部を示す斜視図である。
【図２Ｃ】図２Ｃは、図１に示す通気部品のさらに別の変形例の断面の一部を示す斜視図である。
【図２Ｄ】図２Ｄは、図１に示す通気部品のさらに別の変形例の断面の一部を示す斜視図である。
【図３】図３は、本発明に係る通気部品の別の一例の断面を示す斜視図である。
【図４】図４は、本発明に係る通気部品のさらに別の一例の断面を示す斜視図である。
【図５】図５は、本発明に係る通気部品のさらに別の一例の断面を示す斜視図である。
【図６】図６は、本発明に係る通気部品のさらに別の一例の断面を示す斜視図である。
【図７】図７は、本発明に係る通気部品のさらに別の一例の断面を示す斜視図である。
【発明を実施するための形態】
【０００９】
以下、添付の図面を参照しつつ本発明の実施形態について説明する。以下の説明は、本発明の例示であり、本発明は、以下の実施形態に限定されない。
【００１０】
図１に示す通り、通気部品１ａは、筐体２の開口２ａを覆うように筐体２に装着される部品である。通気部品１ａは、支持部１０と、通気膜２０と、シール部材３０とを備えている。支持部１０は、通気路１２と、環状面１４とを有する。通気部品１ａが筐体２に装着されたときに、通気路１２は、開口２ａの開口面に垂直な方向に延びており、支持部１０を貫通している。通気部品１ａが筐体２に装着されたときに、環状面１４は、開口２ａの外周に位置する筐体２の外面２ｅに対向するとともに平面視において通気路１２を取り囲む。通気膜２０は、通気路１２を通気可能に塞いでいる。通気膜２０において、通気膜２０の厚み方向に気体が通過可能である。通気部品１ａが筐体２に装着されたときに、シール部材３０は、筐体２の外面２ｅと環状面１４との間に挟まれて筐体２の外面２ｅと環状面１４との間をシールする。シール部材３０は、粘着剤、接着剤、及び接着剤の硬化物からなる群より選ばれる少なくとも１つを含む。「粘着剤」は、物と物とをくっつける作用を発揮する材料である「接着剤」の１種であり、圧力をかけることによってくっつける作用を発揮するものを意味する。また、本発明においては、「粘着剤」は、「接着剤」から除かれ、「接着剤」は主に硬化によってくっつける作用を発揮するものと意味する。なお、本明細書において、開口２ａの開口面とは、開口２ａをなす筐体２の面と外面２ｅとの境界によって定まる面を意味する。
【００１１】
環状面１４は、平面視において通気路１２を取り囲む限り、特定の形状に限定されない。環状面１４は、円環状であってもよいし、円環状以外の形状であってもよい。
【００１２】
シール部材３０は、通気部品１ａが筐体２に装着されたときに、筐体２の外面２ｅに接触する第一接合面３０ａを有する。第一接合面３０ａは、例えば、粘着剤、接着剤、及び接着剤の硬化物からなる群より選ばれる少なくとも１つによって形成されている。
【００１３】
特許文献１に記載の技術のように、通気部品と筐体の外面との間のシールにＯリングを用いる場合、Ｏリングは円状の断面を有するので、通気部品が筐体に装着されたときにＯリングが筐体の外面に接触する面積が限定される。また、Ｏリングが弾性体であると、筐体の外面の表面粗さによっては、十分なシール性を確保できない可能性がある。例えば、筐体の外面の表面が粗く、Ｏリングが筐体の外面に接触する面積が小さい場合には、Ｏリングを圧縮しても筐体の外面の凹凸に合わせてＯリングが変形できず、空気などの気体又は水等の液体が漏れる可能性がある。一方、通気部品によれば、シール部材３０が粘着剤、接着剤、及び接着剤の硬化物からなる群より選ばれる少なくとも１つを含むので、例えば、第一接合面３０ａが、粘着剤、接着剤、及び接着剤の硬化物からなる群より選ばれる少なくとも１つによって形成される。このため、通気部品１ａが筐体２に装着されたときにシール部材３０と筐体２の外面２ｅとの接触面積を大きくしやすい。例えば、通気部品１において、同一の外径を有する通気部品においてシール部材としてＯリングを用いた構成に比べて、シール部材３０と筐体２の外面２ｅとの接触面積が大きくなりやすい。これにより、筐体２又は筐体２の内部のコンポーネントの耐食性を向上させることができる。加えて、筐体２の外面２ｅの形状に合わせて第一接合面３０ａが形成されやすい。これにより、気体又は液体が漏れにくく、通気部品１ａは、高い信頼性を発揮しうる。しかも、通気部品１ａでは、特許文献１に記載の通気ユニットにおけるワッシャのような部材が不要であり、簡素な構成を有する。
【００１４】
シール部材３０は、その外周部が筐体２の外面２ｅとの間に窪みを形成しにくいので、シール部材３０の外周部に接した箇所に液体が貯まりにくい。これにより、筐体２又はシール部材３０の劣化を防止できる。
【００１５】
シール部材３０において、環状面１４と筐体２の外面２ｅとの間に挟まれることによって発生する応力（反発力）がＯリングに比べて小さいので、筐体２にかかる負荷を低減できる。シール部材３０は、Ｏリングのように圧縮しなくてもよいので、筐体２の加工に求められる精度を緩和できる。また、通気部品１ａは、シール部材としてＯリングを使用する場合に比べて安価に製造できる。加えて、シール部材としてＯリングを使用する場合に比べて、筐体２の開口２ａの開口面に垂直な方向における通気部品１ａの寸法を小さくしやすく、通気部品１ａにおいて筐体２から筐体２の外側に突出した部分の寸法を小さくできる。また、通気部品１ａにおいて筐体２から筐体２の内側に突出した部分の寸法を小さくできる。さらに、筐体２をなす板材の厚みを小さくできる。
【００１６】
シール部材３０は、例えば、環状面１４に接触する第二接合面３０ｂを有する。第二接合面３０ｂは、例えば、粘着剤、接着剤、及び接着剤の硬化物からなる群より選ばれる少なくとも１つによって形成されている。
【００１７】
図１に示す通り、シール部材３０は、例えば、単一層の粘着剤３１によって構成されている。一方、図２Ａに示す通り、シール部材３０は、単一層の接着剤３２によって構成されていてもよい。図２Ｂに示す通り、シール部材３０は、基材３５と、基材３５の両面に形成された２層の粘着剤３１によって構成されていてもよい。図２Ｃに示す通り、シール部材３０は、基材３５と、基材３５の一方の主面に形成され、第一接合面３０ａをなす粘着剤３１と、基材３５の一方の主面に形成され、第二接合面３０ｂをなす接着剤３２によって構成されていてもよい。図２Ｄに示す通り、シール部材３０は、基材３５と、基材３５の両面に形成された２層の接着剤３２によって構成されていてもよい。
【００１８】
シール部材３０が粘着剤３１を含む場合、その粘着剤３１は特に限定されない。粘着剤３１は、典型的には、ベースポリマーを含有している。ベースポリマーは、例えば、公知のアクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、又はエポキシ系粘着剤におけるベースポリマーでありうる。
【００１９】
粘着剤３１は、例えば、充填剤、気泡、及び界面活性剤からなる群より選ばれる少なくとも１つを含有している。これにより、粘着剤３１の接着性、凝集性、及び柔軟性を所望の状態に調節しやすい。粘着剤３１がなす層の厚みは、例えば、１．０〜２．０ｍｍである。
【００２０】
粘着剤３１は、例えば、充填剤を含有している。これにより、粘着剤３１の剥離における応力が分散し、粘着剤３１が高い接着性を有しやすい。
【００２１】
粘着剤３１に所望の接着性を付与できる限り、充填剤は特に限定されない。充填剤は、例えば、中空粒子である。これにより、粘着剤３１の剥離における応力がより確実に分散し、粘着剤３１が高い接着性を有しやすい。
【００２２】
粘着剤３１において充填剤としての中空粒子をなす材料は、無機材料であってもよいし、有機材料であってもよい。中空粒子をなす無機材料は、例えば、ガラス、アルミナ等の金属酸化物、又はセラミックである。なお、本明細書において、金属酸化物にはシリカが含まれる。中空粒子をなす無機材料は、例えば、アクリル樹脂又は塩化ビニリデン樹脂である。
【００２３】
中空粒子は、例えば、球状である。中空粒子の平均粒子径は、特に制限されない。中空粒子の平均粒子径は、例えば、１〜５００μｍであり、５〜２００μｍであってもよく、１０〜１００μｍであってもよい。中空粒子の平均粒子径は、例えば、以下のように決定できる。粘着剤３１が含有している５０個以上の中空粒子に対し、光学顕微鏡又は電子顕微鏡による観察によって各中空粒子の最大径を決定する。その後、中空粒子の最大径の算術平均値を求め、求めた算術平均値を中空粒子の平均粒子径と決定する。
【００２４】
中空粒子の密度は、特に限定されない。中空粒子の密度は、例えば０．１〜０．８ｇ／ｃｍ3であり、０．１２〜０．５ｇ／ｃｍ3であってもよい。中空粒子の密度が０．１ｇ／ｃｍ3以上であることにより、粘着剤３１において中空粒子が均一に分散しやすい。中空粒子の密度が０．８ｇ／ｃｍ3以下であることにより、粘着剤３１の製造コストが低くなりやすい。
【００２５】
粘着剤３１における充填剤の含有量は、特に限定されない。粘着剤３１における充填剤の含有量は、例えば、粘着剤３１の全体積に対して５〜５０体積％であり、１０〜５０体積％であってもよく、１５〜４０容積％であってもよい。粘着剤３１における充填剤の含有量が５体積％以上であると、粘着剤３１の剥離における応力がより確実に分散しやすい。粘着剤３１における充填剤の含有量が５０体積％以下であると、粘着剤３１の接着力の低下を抑制できる。
【００２６】
粘着剤３１は、充填剤に加えて、気泡をさらに含有していてもよい。これにより、粘着剤３１の剥離における応力がより確実に分散し、粘着剤３１が高い接着性を有しやすい。加えて、粘着剤３１の凝集性及び柔軟性を調節しやすく、粘着剤３１の加工性及び粘着剤３１の反発性を高めやすい。
【００２７】
粘着剤３１における気泡の含有量は、特に限定されない。粘着剤３１における気泡の含有量は、粘着剤３１の全体積に対して、例えば５〜５０体積％であり、５〜４０体積％であってもよく、５〜３０体積％であってもよい。粘着剤３１における気泡の含有量が５体積％以上であると、粘着剤３１が応力により変形しても粘着剤３１が変形前の状態に戻りやすく、粘着剤３１が所望の反発性を発揮し得る。粘着剤３１における気泡の含有量が５０体積％以下であると、粘着剤３１がなす層を気泡が貫通することを防止でき、粘着剤３１が高い接着性を発揮しやすい。加えて、粘着剤３１が柔らかくなりすぎることを防止でき、かつ、粘着剤３１がせん断力に対して所望の抵抗を発揮しやすい。
【００２８】
粘着剤３１における気泡は、望ましくは、独立気泡である。粘着剤３１において、独立気泡及び連続気泡が混在していてもよい。
【００２９】
粘着剤３１における気泡は、例えば、球状である。粘着剤３１における気泡は、いびつな球状であってもよい。粘着剤３１における気泡の平均直径は、特に限定されない。粘着剤３１における気泡の平均直径は、例えば１〜１０００μｍであり、１０〜５００μｍであってもよく、３０〜３００μｍであってもよい。気泡の平均直径は、例えば、以下のように決定できる。平均気泡径は、典型的には、走査型電子顕微鏡（ＳＥＭ）を用いて得られた、好ましくは１０個以上の気泡の直径についての測定結果を算術平均することによって求めることができる。このとき、非球状の形状の気泡については、同等の体積を有する球状の気泡に換算して平均気泡径を求める。
【００３０】
粘着剤３１における気泡に含まれる気体成分は、特に限定されない。気泡に含まれる気体成分は、例えば、窒素、二酸化炭素、及びアルゴン等の不活性ガス、並びに、空気である。粘着剤３１における気泡の形成後に重合反応等の反応が行われる場合、気泡に含まれる気体成分がその反応を阻害しないことが望ましい。反応を阻害しないこと、及び、製造コスト等の観点から、気泡に含まれる気体成分は、望ましくは窒素である。
【００３１】
粘着剤３１が充填剤を含有している場合、粘着剤３１は気泡を実質的に含有していなくてもよい。この場合、粘着剤３１がせん断力に対して高い抵抗を発揮しやすい。気泡を実質的に含有していないとは、例えば、粘着剤３１における気泡の含有量が、粘着剤３１の全体積に対して５％未満であることを意味する。
【００３２】
粘着剤３１は、例えば、充填剤に加えて、界面活性剤をさらに含有していてもよい。これにより、充填剤とベースポリマーとの密着性が低下して、粘着剤３１の応力分散性が高まりやすい。その結果、粘着剤３１が被着面の形状に合わせて変形しやすく、粘着剤３１が高い接着性を発揮しやすい。
【００３３】
粘着剤３１に含有される界面活性剤は特に限定されない。界面活性剤は、例えばフッ素系界面活性剤である。フッ素系界面活性剤は、例えば、オキシアルキレン基及びフッ素化炭化水素基を有する。オキシアルキレン基により、充填剤とベースポリマーとの密着性及び摩擦抵抗が低くなりやすく、粘着剤３１の応力分散性が高まりやすい。フッ素化炭化水素基により、充填剤とベースポリマーとの摩擦抵抗が低くなりやすい。加えて、粘着剤３１が気泡を含有している場合、気泡の混合性及び気泡の安定性を高めやすい。フッ素系界面活性剤は、例えば非イオン型界面活性剤である。この場合、フッ素系界面活性剤がベースポリマーに対して良好な分散性を有しやすい。
【００３４】
フッ素系界面活性剤のオキシアルキレン基は、−Ｒ−Ｏ−で表される。Ｒは、２又は３の炭素原子を有する直鎖状又は分岐鎖状のアルキレン基である。フッ素系界面活性剤は、例えば、オキシエチレン基（−ＣＨ2ＣＨ2Ｏ−）及びオキシプロピレン基［−ＣＨ2ＣＨ（ＣＨ3）Ｏ−］の少なくとも１つを有している。オキシアルキレン基の末端の酸素原子には水素原子が結合してアルコールを構成していてもよい。オキシアルキレン基の末端の酸素原子には他の炭化水素基が結合してエーテルを構成していてもよい。オキシアルキレン基の末端の酸素原子がカルボニル基を介して他の炭化水素基と結合してエステルを構成していてもよい。オキシアルキレン基を含む構造は、環式エーテル類及びラクトン類等の環式構造であってもよい。
【００３５】
フッ素系界面活性剤のフッ素化炭化水素基は、特に限定されない。フッ素化炭化水素基は、例えばパーフルオロ基である。パーフルオロ基は、１価であってもよく、２価以上の多価であってもよい。また、フッ素化炭化水素基は、二重結合や三重結合を有していてもよく、直鎖構造、分岐鎖構造、又は環式構造を有していてもよい。フッ素化炭化水素基における炭素原子の数は、特に限定されない。フッ素化炭化水素基における炭素原子の数は、例えば１又は２以上であり、３〜３０であってもよく、４〜２０であってもよい。
【００３６】
フッ素系界面活性剤の構造は、特定の構造に限定されない。フッ素系界面活性剤は、例えば、オキシアルキレン基を有するモノマーと、フッ素化炭化水素基を有するモノマーとの共重合体である。共重合体は、ブロック共重合体であってもよいし、グラフト共重合体であってもよい。
【００３７】
粘着剤３１に含有されているベースポリマーは、望ましくは、アクリル系ポリマーである。アクリル系ポリマーは、例えば（メタ）アクリル酸エステルをモノマーとするアクリル系ポリマーである。アクリル系ポリマーにおいて、望ましくは、（メタ）アクリル酸アルキルエステルが使用されうる。（メタ）アクリル酸アルキルエステルは、例えば、１〜２０の炭素原子を含むアルキルを有する。（メタ）アクリル酸アルキルエステルは、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、又は（メタ）アクリル酸エイコシルである。アクリル系ポリマーにおいて、脂環式炭化水素基を有する（メタ）アクリル酸エステルが用いられてもよい。脂環式炭化水素基を有する（メタ）アクリル酸エステルは、例えば、シクロペンチル（メタ）アクリレート、シクロヘキシル（メタ）アクリレート、又はイソボロニル（メタ）アクリレートである。
【００３８】
アクリル系ポリマーにおける（メタ）アクリル酸エステルの使用量は、例えば、ベースポリマーを調製するためのモノマーの全量に対して、６０重量％以上であり、望ましくは８０重量％以上である。
【００３９】
アクリル系ポリマーでは、モノマー成分として、極性基含有モノマー又は多官能性モノマー等の共重合性モノマーが用いられてもよい。共重合性モノマーの使用により、例えば、被着体への接着性が高まり、粘着剤３１の凝集力が高まる。アクリル系ポリマーでは、単一種類の共重合性モノマーが用いられてもよいし、２種類以上の共重合性モノマーが用いられていてもよい。
【００４０】
極性基含有モノマーは、例えば、（メタ）アクリル酸、イタコン酸、マレイン酸、フマル酸、クロトン酸、及びイソクロトン酸等のカルボキシル基含有モノマー又は無水マレイン酸等のそのカルボキシル基の無水物を含有するモノマー；（メタ）アクリル酸ヒドロキシエチル、（メタ）アクリル酸ヒドロキシプロピル、及び（メタ）アクリル酸ヒドロキシブチル等の（メタ）アクリル酸ヒドロキシアルキル等の水酸基含有モノマー；アクリルアミド、メタアクリルアミド、Ｎ，Ｎ−ジメチル（メタ）アクリルアミド、Ｎ−メチロール（メタ）アクリルアミド、Ｎ−メトキシメチル（メタ）アクリルアミド、及びＮ−ブトキシメチル（メタ）アクリルアミド等のアミド基含有モノマー；（メタ）アクリル酸アミノエチル、（メタ）アクリル酸ジメチルアミノエチル、及び（メタ）アクリル酸ｔ−ブチルアミノエチル等のアミノ基含有モノマー；（メタ）アクリル酸グリシジル及び（メタ）アクリル酸メチルグリシジル等のグリシジル基含有モノマー；アクリロニトリル及びメタアクリロニトリルなどのシアノ基含有モノマー；Ｎ−ビニル−２−ピロリドン、（メタ）アクリロイルモルホリン、Ｎ−ビニルピリジン、Ｎ−ビニルピペリドン、Ｎ−ビニルピリミジン、Ｎ−ビニルピペラジン、Ｎ−ビニルピロール、Ｎ−ビニルイミダゾール、Ｎ−ビニルオキサゾール等の複素環含有ビニル系モノマーなどが挙げられる。極性基含有モノマーとしてはアクリル酸等のカルボキシル基含有モノマー又はその無水物が好適である。
【００４１】
極性基含有モノマーの使用量は、ベースポリマーを調製するためのモノマーの全量に対して、例えば３０重量％以下であり、１〜３０重量％であってもよく、２〜３０重量％であってもよい。これにより、粘着剤３１の凝集力が適切なレベルに保たれやすい。また、粘着剤３１がせん断力に対して高い抵抗を発揮しやすい。
【００４２】
多官能性モノマーは、例えば、ヘキサンジオール（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレート、ジブチル（メタ）アクリレート、又はヘキシジル（メタ）アクリレートである。
【００４３】
多官能性モノマーの使用量は、ベースポリマーを調製するためのモノマーの全量に対して、例えば２重量％以下であり、０．０１〜２重量％であってもよく、０．０２〜１重量％であってもよい。これにより、粘着剤３１の凝集力が適切なレベルに保たれやすい。
【００４４】
ベースポリマーの調製において、使用可能な他の共重合性モノマーは、例えば、酢酸ビニル及びプロピオン酸ビニル等のビニルエステル類、スチレンビニルトルエン等の芳香族ビニル化合物、エチレン、ブタジエン、イソプレン、及びイソブチレン等のオレフィン又はジエン類；ビニルアルキルエーテル等のビニルエーテル類；塩化ビニル；（メタ）アクリル酸メトキシエチル及び（メタ）アクリル酸エトキシエチル等の（メタ）アクリル酸アルコキシアルキル系モノマー；ビニルスルホン酸ナトリウム等のスルホン酸基含有モノマー；２−ヒドロキシエチルアクリロイルフォスフェート等のリン酸基含有モノマー；シクロヘキシルマレイミド及びイソプロピルマレイミド等のイミド基含有モノマー；２−メタクリロイルオキシエチルイソシアネート等のイソシアネート基含有単量体；フッ素原子含有（メタ）アクリレート；又はケイ素原子含有（メタ）アクリレートである。
【００４５】
粘着剤３１は、必要に応じて、架橋剤、粘着付与剤、老化防止剤、可塑剤、及び着色剤からなる群より選ばれる少なくとも１つをさらに含有していてもよい。
【００４６】
シール部材３０が接着剤３２を含む場合、その接着剤３２は特に限定されない。接着剤３２として、公知の接着剤を使用できる。接着剤３２は、例えば、エポキシ樹脂系接着剤、シリコーン樹脂系接着剤、ビニル樹脂系接着剤、ホットメルト接着剤、又はシアノアクリレート系接着剤でありうる。接着剤３２がホットメルト接着剤である場合、接着剤３２は、ホットメルトシートであってもよい。ホットメルト接着剤は、特定のホットメルト接着剤に限定されない。ホットメルト接着剤は、ポリアミド系ホットメルト接着剤、ポリウレタン系ホットメルト接着剤、ポリエステル系ホットメルト接着剤、オレフィン系ホットメルト接着剤、熱可塑性ポリイミドを含有するホットメルト接着剤であってもよい。ホットメルトシートの例は、日本マタイ社製のエルファン（登録商標）ＰＨ−４１３及び倉敷紡績社製の熱可塑性ポリイミドフィルムであるミドフィル（登録商標）である。
【００４７】
シール部材３０が基材３５を含む場合、基材３５は、例えば、繊維系基材、プラスチック系基材、金属系基材、ゴム系基材、発泡体、又はこれらの積層体でありうる。繊維系基材は、例えば、布、不職布、及びネットである。金属系基材は、例えば、金属箔又は金属板である。ゴム系基材は、例えば、ゴムシートである。積層体は、プラスチック系基材と他の基材との積層体であってもよく、プラスチックフィルムの積層体であってもよい。プラスチック系基材に含まれるプラスチック材料は、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂である。プラスチック材料は、ポリエチレンテレフタラート（ＰＥＴ）、ポリエチレンナフタレート（ＰＥＮ）、及びポリブチレンテレフタラート（ＰＢＴ）等のポリエステル系樹脂；ポリ塩化ビニル（ＰＶＣ）；酢酸ビニル系樹脂；ポリフェニレンスルフィド（ＰＰＳ）；ポリアミド（ナイロン）；芳香族ポリアミド（アラミド）等のアミド系樹脂；ポリイミド系樹脂；又はポリエーテルエーテルケトン（ＰＥＥＫ）であってもよい。基材３５において、単一種類のプラスチック材料が使用されていてもよく、２種類以上のプラスチック材料が使用されていてもよい。
【００４８】
基材３５の厚さは、特定の厚さに限定されない。基材３５の厚さは、例えば１０００μｍ以下であり、１〜１０００μｍであってもよく、１〜５００μｍであってもよく、３〜３００μｍであってもよい。
【００４９】
図１に示す通り、支持部１０は、例えば、被着面１５を有する。被着面１５は、通気部品１ａが筐体２に装着されたときに、開口２ａと対向する。通気膜２０は、例えば、被着面１５に取り付けられている。この場合、通気膜２０が通気部品１ａの外部の物体と直接接触しにくい。このため、通気膜２０が適切に保護されやすい。
【００５０】
通気膜２０は、所望の通気性を有する限り特定の通気膜に限定されない。通気膜２０は、単層膜であってよいし、多層膜であってもよい。通気膜２０が多層膜である場合、各層は、多孔質膜、不織布、クロス、及びメッシュからなる群より選ばれる１つでありうる。通気膜２０は、多孔質膜及び不織布を含んでいてよく、クロス及びメッシュの少なくとも１つと多孔質膜とを含んでいてもよく、複数の不織布を含んでいてもよい。通気膜２０は、典型的には、有機高分子材料（樹脂）によって構成されている。多孔質膜の材料は、例えば、フッ素樹脂である。フッ素樹脂としては、例えば、ポリテトラフルオロエチレン（ＰＴＦＥ）、ポリクロロトリフルオロエチレン、テトラフルオロエチレン−ヘキサフルオロプロピレン共重合体、又はテトラフルオロエチレン−エチレン共重合体を使用できる。不織布、クロス、及びメッシュの材料は、例えば、ポリエチレンテレフタラート等のポリエステル、ポリエチレン及びポリプロピレン等のポリオレフィン、ナイロン、アラミド、又はエチレン酢酸ビニル共重合体である。
【００５１】
通気膜２０は、例えば、延伸ＰＴＦＥ多孔質膜を含む。この場合、延伸ＰＴＦＥ多孔質膜は、不織布などの通気性支持材に積層されていてもよい。
【００５２】
通気膜２０は、必要に応じて撥液処理されていてもよい。撥液処理は、例えば、パーフルオロアルキル基を有するフッ素系表面修飾剤を含む撥液性の被膜を通気膜２０に形成することによってなされる。撥液性の被膜の形成は、特に制限されないが、例えば、エアスプレイ法、静電スプレイ法、ディップコーティング法、スピンコーティング法、ロールコーティング法、カーテンフローコーティング法、又は含浸法等の方法により、パーフルオロアルキル基を有するフッ素系表面修飾剤の溶液又はディスパージョンで樹脂多孔質膜をコーティングすることによりなされる。また、電着塗装法又はプラズマ重合法によって、撥液性の被膜を形成してもよい。
【００５３】
通気膜２０は、例えば、被着面１５に対して接着されている。通気膜２０は、被着面１５に対して溶着されていてもよい。通気膜２０は、、被着面１５に対して両面テープによって取り付けられていてもよい。
【００５４】
図１に示す通り、通気部品１ａは、例えば、屋根部５０をさらに備えている。屋根部５０は、支持部１０に連結しており、通気膜２０を平面視したときに通気膜２０を覆っている。加えて、屋根部５０は、通気膜２０との間に通気部品１ａの外部空間５と連通している間隙５５を形成している。
【００５５】
支持部１０は、例えば、板状かつ環状である。屋根部５０は、例えば板状である。屋根部５０は、リブ５２によって支持部１０と連結されている。例えば、支持部１０の軸線周りに所定の間隔で複数のリブ５２が形成されている。これにより、間隙５５が形成されている。また、リブ５２同士の間の空間によって間隙５５が外部空間５に連通している。
【００５６】
支持部１０及び屋根部５０は、例えば、一体的に成形されている。支持部１０及び屋根部５０は、それぞれ別体として成形され、お互いに組付けられていてもよい。
【００５７】
図１に示す通り、通気部品１ａは、例えば、第一接合面３０ａよりも突出した部分を有しない。換言すると、通気部品１ａは、筐体２の開口２ａに挿入される部分を有しない。このため、通気部品１ａの一部を開口２ａの内部に存在させることなく、通気部品１ａを筐体２に装着できる。通気部品１ａの一部が開口２ａにおいて筐体２に接触しないので、通気部品１ａの筐体２への装着が容易である。
【００５８】
通気部品１ａは、様々な観点から変更可能である。例えば、通気部品１ａは、図３に示す通気部品１ｂ、図４に示す通気部品１ｃ、図５に示す通気部品１ｄ、図６に示す通気部品１ｅ、又は図７に示す通気部品１ｆのように変更されてもよい。通気部品１ｂ〜１ｆのそれぞれは、特に説明する部分を除き通気部品１ａと同様に構成されている。通気部品１ａの構成要素と同一又は対応する通気部品１ｂ〜１ｆの構成要素には同一の符号を付し、詳細な説明を省略する。通気部品１ａに関する説明は、技術的に矛盾しない限り、通気部品１ｂ〜１ｆにも当てはまる。
【００５９】
図３に示す通り、通気部品１ｂにおいて、支持部１０は、第一位置決め部１６を有する。第一位置決め部１６は、シール部材３０が通気路２０に近づく移動及びシール部材３０が通気路２０から遠ざかる移動の少なくとも１つを抑制する。第一位置決め部１６により、シール部材３０の移動を抑制できる。これにより、通気部品１ｂを筐体２に装着するときに、シール部材３０が適切な位置に配置され、通気部品１ｂが高い信頼性を発揮できる。
【００６０】
第一位置決め部１６は、例えば、第一接合面３０に向かって延びている環状の突出部によって形成されている。第一位置決め部１６は、例えば、内側突出部１６ｉ及び外側突出部１６ｅを有する。内側突出部１６ｉは、シール部材３０が通気路２０に近づく移動を抑制し、外側突出部１６ｅは、シール部材３０が通気路２０から遠ざかる移動を抑制する。内側突出部１６ｉ及び外側突出部１６ｅの１つは、省略されてもよい。
【００６１】
図４に示す通り、通気部品１ｃにおいて、支持部１０は、第二位置決め部１８を有する。第二位置決め部１８は、通気膜２０の表面に平行な方向への通気膜２０の移動を抑制する。これにより、通気膜２０が適切な位置に配置され、通気部品１ｃが高い信頼性を発揮できる。第二位置決め部１８は、例えば、筒状の突出部であり、通気膜２０を取り囲んでいる。
【００６２】
図５に示す通り、通気部品１ｄは、突出部４０をさらに備えている。突出部４０は、開口２ａの開口面に垂直な方向に突出している。通気部品１ｄが筐体２に装着されたときに突出部４０は開口２ａに挿入されて開口２ａにおいて筐体２に接触する。通気路１２は、開口２ａの開口面に垂直な方向に支持部１０及び突出部４０を貫通している。通気部品１ｄを筐体２に装着するときに、突出部４０を通気部品１ｄの位置決めに利用できるので、通気部品１ｄを筐体２に適切に取り付けることができる。これにより、通気部品１ｄが高い信頼性を発揮できる。
【００６３】
図５に示す通り、突出部４０は、例えば、係止部４２を有する。係止部４２は、筐体２に係止される。これにより、通気部品１ｄが筐体２に対して適切に位置決めされる。係止部４２は、例えば、スナップフィットにより筐体２に係止される。係止部４２は、例えば、通気部品１ｄが筐体２に装着されたときに筐体２の内面と対向する爪を有する。これにより、通気部品１ｄが筐体２に装着されたときに、通気部品１ｄが筐体２から離れることが防止される。係止部４２は、ねじ止めにより筐体２に係止されてもよく、バヨネットにより筐体２に係止されてもよい。
【００６４】
通気部品１ｄにおいて、突出部４０は、例えば、複数の脚部を有し、複数の脚部同士の間にスリットが形成されている。
【００６５】
図６に示す通り、通気部品１ｅは、通気部品１ｄと同様に突出部４０をさらに備えている。ただし、通気部品１ｅの突出部４０において係止部４２は省略されている。加えて、通気部品１ｅにおいて、突出部４０は、筒状に形成されている。このため、筐体２の内部に異物が侵入しにくい。突出部４０は、例えば、開口２ａにおいて開口２ａの開口面に垂直な直線周りの全体において筐体２に接触している。突出部４０は、開口２ａにおいて開口２ａの開口面に垂直な直線周りにおいて部分的に筐体２に接触していてもよい。
【００６６】
図７に示す通り、通気部品１ｆにおいて、支持部１０は被着面１５を有する。被着面１５は、通気部品１ｆが筐体２に装着されたときに、筐体２の外面２ｅが向く方向と同一の方向を向いている。通気膜２０は、被着面１５に取り付けられている。この場合、通気膜２０が通気部品１ｆの外部の近くに配置されるので、通気膜２０の状態を確認しやすい。このため、通気部品１ｆはメンテナンスの観点から有利である。
【符号の説明】
【００６７】
１ａ、１ｂ、１ｃ、１ｄ、１、１ｆ  通気部品
２                                筐体
２ａ                              開口
２ｅ                              外面
５                                外部空間
１０                              支持部
１２                              通気路
１４                              環状面
１５                              被着面
１６                              第一位置決め部
１８                              第二位置決め部
４０                              突出部
４２                              係止部
５０                              屋根部
【図１】
2020202229.tif 000003
【図２Ａ】
2020202229.tif 000004
【図２Ｂ】
2020202229.tif 000005
【図２Ｃ】
2020202229.tif 000006
【図２Ｄ】
2020202229.tif 000007
【図３】
2020202229.tif 000008
【図４】
2020202229.tif 000009
【図５】
2020202229.tif 000010
【図６】
2020202229.tif 000011
【図７】
2020202229.tif 000012